(57)【特許請求の範囲】
【請求項１】
撮影レンズを保持するレンズ保持枠体の内周面に、光軸と平行に所定深さの溝を形成し、この溝の深部に撮影レンズの端面を位置させると共に、この溝の深部に接着剤を塗布して、撮影レンズをレンズ保持枠体に接着保持させるレンズ装置のレンズ保持枠体構造において、
焦点距離の異なる複数の撮影レンズに対応した深さの異なる複数本の溝を、前記レンズ保持枠体に形成したことを特徴とするレンズ装置のレンズ保持枠体構造。
【発明の詳細な説明】
【０００１】
【発明の属する技術分野】
本発明はレンズ装置のレンズ保持枠体構造に係り、特にレンズ保持枠体に形成された溝に接着剤を塗布して撮影レンズを接着保持するレンズ装置のレンズ保持枠体構造に関する。
【０００２】
【従来の技術】
レンズ保持枠体の内周面には、撮影レンズ保持用の溝が光軸と平行に形成されている。撮影レンズは、前記溝の深部にその端面を位置させたのち、この溝の深部に接着剤を塗布することにより、レンズ保持枠体に接着保持される。
ところで、従来のレンズ保持枠体は、製作コストの低減をはかるため共通化されている。このレンズ保持枠体に、焦点距離の異なる撮影レンズを保持させる場合には、レンズ保持枠体の溝の深部の位置でその撮影レンズを接着保持できるように撮影レンズを設計している。
【０００３】
【発明が解決しようとする課題】
しかしながら、従来のレンズ保持枠体では、一つの溝の深部を基準にして、焦点距離の異なる撮影レンズを設計しているので、設計に過大な負担がかかるという欠点がある。また、無理に設計した撮影レンズでは、その撮影レンズの性能を発揮することができず、また、撮影レンズが異常に厚くなったり薄くなったりするため、コスト的に高価なものになるという欠点がある。
【０００４】
本発明はこのような事情に鑑みてなされたもので、レンズ保持枠体を共通化しても撮影レンズの設計が容易で性能を十分に発揮でき、且つ廉価で製作することができるレンズ装置のレンズ保持枠体構造を提供することを目的とする。
【０００５】
【課題を解決するための手段】
本発明は、前記目的を達成するために、撮影レンズを保持するレンズ保持枠体の内周面に、光軸と平行に所定深さの溝を形成し、この溝の深部に撮影レンズの端面を位置させると共に、この溝の深部に接着剤を塗布して、撮影レンズをレンズ保持枠体に接着保持させるレンズ装置のレンズ保持枠体構造において、焦点距離の異なる複数の撮影レンズに対応した深さの異なる複数本の溝を、前記レンズ保持枠体に形成したことを特徴としている。
【０００６】
本発明によれば、撮影レンズ保持用の溝を、焦点距離の異なる撮影レンズに対応して形成しているので、その撮影レンズに応じた深さの溝を、複数本の溝から選択すれば良い。これにより、本発明では、レンズ保持枠体を共通化しても撮影レンズを無理に設計する必要がなくなるので、撮影レンズの設計が容易になり、また、撮影レンズの性能を十分に発揮でき、また、撮影レンズを廉価で製作することができる。
【０００７】
【発明の実施の形態】
以下添付図面に従って本発明に係るレンズ装置のレンズ保持枠体構造の好ましい実施の形態を詳述する。
図１は、本発明のレンズ装置のレンズ保持枠体構造が適用された監視カメラ用撮影レンズの実施の形態を示す断面図である。同図に示す撮影レンズ装置１０は、ケーシング１２の前方から光軸Ｐに沿って第１のレンズ１４、アイリスユニット１６、及び第２のレンズ１８が順に配置され、ケーシング１２の後方（図中右端部）に設けられた連動リング２０、及びマウントリング２２を介して、図中二点鎖線で示すカメラ本体２４に取り付けられる。
【０００８】
前記第１のレンズ１４は、略筒状に形成されたレンズ保持枠体２６内に接着保持されており、このレンズ保持枠体２６は、ケーシング１２内に固定されている。また、前記第２のレンズ１８も同様に略筒状のレンズ保持枠体２８内に接着保持され、このレンズ保持枠体２８はケーシング１２の後部に固定されている。
図２において前記レンズ保持枠体２８の外周面にはヘリコイドねじ３０が形成され、このヘリコイドねじ３０にフォーカスリング３２のヘリコイドねじ３４が螺合されている。フォーカスリング３２を回転させると、フォーカスリング３２に対してレンズ保持枠体２８、及びレンズ保持枠体２６が光軸Ｐに沿って前後移動されてピント調整が行われる。ピント調整終了後、フォーカスリング３２は図示しないねじによってマウントリング２２に固定される。
【０００９】
図１において、前記アイリスユニット１６は、第１のレンズ１４と第２のレンズ１８との間に配置されており、アイリスメータ３６からの駆動力により駆動されて所望の絞り値に調節される。前記アイリスメータ３６は、レンズ保持枠体２６とケーシング１２との間に形成された空間部に設置されている。また、アイリスメータ３６のケーブル３８は、ケーシング１２に形成された図示しない開口部から外部に配設されて、図中二点鎖線で示すカメラ本体２４のコネクタ４０に接続される。
【００１０】
前記連動リング２０は図２に示すように、その内周面に２つのキー４２、４２（下側のキー４２は図示せず）が対向して形成されている。このキー４２、４２が図３に示すレンズ保持枠体２８のキー溝４４、４４に係合されることにより、連動リング２０がレンズ保持枠体２８に取り付けられる。また、連動リング２０は、ストッパ板４６との間に配置された板ばね４８の付勢力によって図２中左方向に付勢されている。また、連動リング２０は、マウントリング２２のストッパ板５０との間に配置された板ばね５２の付勢力によって図２中右方向に付勢されている。この板ばね５２の付勢力は、前記板ばね４８の付勢力よりも大きく設定されている。
【００１１】
図３は、図１中３−３線からみたレンズ保持枠体２８の平面図である。
前記レンズ保持枠体２８の内周面には、レンズ保持用の６本の溝５４、５６、５８、６０、６２、６４が等間隔に形成されている。これらの溝５４〜６４は、光軸Ｐと平行に形成されると共に、光軸Ｐを挟んで対向する溝同士が同じ深さに形成されている。したがって、レンズ保持枠体２８の内周面には、２本の溝を１組とした合計３組のレンズ保持用の溝５４〜６４が形成されている。
【００１２】
これらの溝５４〜６４は、図２、図４、図５に示す焦点距離の異なるレンズ１８、１８Ａ、１８Ｂに対応した溝である。図２に示すレンズ（焦点距離が最短のレンズ）１８をレンズ保持枠体２８に保持させる場合には、まず、このレンズ１８をレンズ保持枠体２８に挿入する。そして、レンズ１８の端面１９を、同図に示すように、前記溝５４〜６４のうち深さの一番浅い溝５４、６０（溝６０は図示せず）の深部位置に位置させる。そして、溝５４、６０（溝６０は図示せず）の深部位置と、レンズ１８の端面１９周部との間に形成される断面三角形状の空間に、接着剤６６を塗布してレンズ１８をレンズ保持枠体２８に接着させる。これによって、レンズ１８の取付作業が終了する。
【００１３】
また、図４に示すレンズ（焦点距離が中間距離のレンズ）１８Ａをレンズ保持枠体２８に保持させる場合にも同様に、まず、レンズ１８Ａをレンズ保持枠体２８に挿入し、次に、レンズ１８Ａの端面１９Ａを、中間深さの溝５６、６２の深部位置に位置させ、次いで、溝５６、６２の深部位置と、レンズ１８Ａの端面１９Ｂの周部との間に形成される空間に接着剤６６を塗布する。これにより、レンズ１８Ａの取付作業が終了する。
【００１４】
図５に示すレンズ（焦点距離が最長のレンズ）１８Ｂをレンズ保持枠体２８に保持させる場合にも、同様な手順で行えば良い。
このように、本実施の形態では、３種類の焦点距離の異なるレンズ１８、１８Ａ、１８Ｂに対応した２本３組の溝５４〜６４を１本のレンズ保持枠体２８に形成したので、レンズを無理に設計する必要がなくなる。したがって、本実施の形態では、レンズの設計が容易になり、また、レンズの性能を十分に発揮でき、また、レンズを廉価で製作することができる。
【００１５】
本実施の形態では、２本の溝を１組とした３組のレンズ保持用の溝５４〜６４を形成したが、これに限られるものではなく、その溝の本数は問わない。
本実施の形態では、レンズ保持枠体２８について説明したが、前方に配置したレンズ保持枠体２６についても適用することができる。
本実施の形態では、監視カメラ用のレンズ装置に適用したが、これに限られるものではなく、他のカメラのレンズ装置に適用しても良い。
【００１６】
【発明の効果】
以上説明したように本発明に係るレンズ装置のレンズ保持枠体構造によれば、撮影レンズ保持用の溝を、焦点距離の異なる撮影レンズに対応して形成したので、撮影レンズの設計が容易になり、また、撮影レンズの性能を十分に発揮でき、また、撮影レンズを廉価で製作することができる。
【図面の簡単な説明】
【図１】本発明のレンズ装置のレンズ保持枠体構造が適用された監視カメラ用撮影レンズ装置の実施の形態を示す断面図
【図２】図１に示した撮影レンズ装置の要部断面図で、深さの浅い溝の位置で接着保持されたレンズとレンズ保持枠体とを示す断面図
【図３】図１中３−３線からみたレンズ保持枠体の平面図
【図４】レンズ保持枠体の中間深さの溝の位置で接着保持されたレンズとレンズ保持枠体との断面図
【図５】レンズ保持枠体の深の溝の位置で接着保持されたレンズとレンズ保持枠体との断面図
【符号の説明】
１０…撮影レンズ装置
１２…ケーシング
１８、１８Ａ、１８Ｂ…レンズ
２４…カメラ本体
２８…レンズ保持枠体
５４〜６４溝
６６…接着剤
【図１】
0003796743.tif 000002
【図２】
0003796743.tif 000003
【図３】
0003796743.tif 000004
【図４】
0003796743.tif 000005
【図５】
0003796743.tif 000006